(57)【要約】      （修正有）【課題】夜間および日中の視認性を向上させるとともに、発光ライトの点灯作業と設置作業の安全性を高めることができる、ライト付き交通保安用コーンを提供する。【解決手段】中空円錐形のコーン部２１と、コーン部２１の底辺周囲に形成された円形状の段部２２と、段部２２の底辺周辺に形成された矩形状のベース部２３とが一体的に形成された交通保安用コーン２であって、コーン部２１の外周面２１２には、光を反射する複数の帯状反射体３が上下に所定の間隔を隔てて横縞模様を形成するように設けられているとともに、帯状反射体３と交差するようにして複数の発光ライト４が上下に並設されている。【選択図】図１
0003227369.tif 000002
【実用新案登録請求の範囲】
【請求項１】
中空円錐形のコーン部と、前記コーン部の底辺周囲に形成された円形状の段部と、前記段部の底辺周辺に形成された矩形状のベース部とが一体的に形成された交通保安用コーンであって、前記コーン部の外周面には、光を反射する複数の帯状反射体が上下に所定の間隔を隔てて横縞模様を形成するように設けられているとともに、前記帯状反射体と交差するようにして複数の発光ライトが上下に並設されている、ライト付き交通保安用コーン。
【請求項２】
前記発光ライトが、前記コーン部の肉厚よりも薄い円形状または円環状のＬＥＤライトにより構成されている、請求項１に記載のライト付き交通保安用コーン。
【請求項３】
前記発光ライトを点灯操作するスイッチは、足踏み操作可能なスイッチであって、前記ベース部の上面のうち前記発光ライトが設けられている面とは反対側の後方１／３の範囲内に設けられている、請求項１または請求項２に記載のライト付き交通保安用コーン。
【請求項４】
前記円形状段部の内周面には、他のライト付交通保安用コーンの上に重ねられたときに当該他のコーンの前記円形状段部の上面に当接することにより、コーン相互間のベース部間に前記スイッチの操作が可能な隙間を形成しうる複数の隙間形成片が、前記円形状段部の内周面に沿って所定間隔を隔てて配置されている、請求項３に記載のライト付き交通保安用コーン。
【考案の詳細な説明】
【技術分野】
【０００１】
本考案は、交通の保安などに用いられるコーンであって、ライト付き交通保安用コーンに関するものである。
【背景技術】
【０００２】
交通保安用コーンは、道路や工事現場における道路交通規制や駐車禁止規制など、区域を分ける標識として利用される円錐形の保安器具である。
【０００３】
近年は、夜間における視認性を向上させるため、通電により発光するライトを備えた交通保安用コーンが開発されている。例えば、特開２００４−１０７９２４号公報では、中空円錐形のコーン部の外周面に複数のＬＥＤ（発光ダイオード）を配置した工事現場等用のコーンの照明装置が提案されている（特許文献１）。
【先行技術文献】
【特許文献】
【０００４】
【特許文献１】特開２００４−１０７９２４号公報
【考案の概要】
【考案が解決しようとする課題】
【０００５】
しかしながら、特許文献１に記載された考案においては、ＬＥＤが点灯されていなければ夜間などの暗い場所では視認することができないという問題がある。高速道路上における交通事故現場の規制では、高速で走行する後続車に注意を払いながら迅速に規制作業を行う必要があるが、事前の点灯操作が必要であり迅速な作業が行えない。また、事前の点灯を忘れると危険な道路上で点灯作業を行わなければならず、大事故に繋がるおそれがある。また、明るい日中における視認性が悪いという問題もある。
【０００６】
本考案は、以上のような問題点を解決するためになされたものであって、夜間および日中の視認性を向上させるとともに、発光ライトの点灯作業と設置作業の安全性を高めることができる、ライト付き交通保安用コーンを提供することを目的としている。
【課題を解決するための手段】
【０００７】
本考案に係るライト付き交通保安用コーンは、日中の視認性を確保しつつ夜間の視認性を向上させるという課題を解決するために、中空円錐形のコーン部と、前記コーン部の底辺周囲に形成された円形状の段部と、前記段部の底辺周辺に形成された矩形状のベース部とが一体的に形成された交通保安用コーンであって、前記コーン部の外周面には、光を反射する複数の帯状反射体が上下に所定の間隔を隔てて横縞模様を形成するように設けられているとともに、前記帯状反射体と交差するようにして複数の発光ライトが上下に並設されている。
【０００８】
また、本考案の一態様として、他のライト付き交通保安用コーンを積み重ねた際に発光ライトが邪魔にならないようにするという課題を解決するために、前記発光ライトが、前記コーン部の肉厚よりも薄い円形状または円環状のＬＥＤライトにより構成されていてもよい。
【０００９】
さらに、本考案の一態様として、道路状況の安全を確認しながら足踏みによる発光ライトの点灯操作を可能にするという課題を解決するために、前記発光ライトを点灯操作するスイッチは、足踏み操作可能なスイッチであって、前記ベース部の上面のうち前記発光ライトが設けられている面とは反対側の後方１／３の範囲内に設けられていてもよい。
【００１０】
また、本考案の一態様として、複数のライト付き交通保安用コーンを積み重ねた状態で発光ライトの消灯操作を可能にするという課題を解決させるために、前記円形状段部の内周面には、他のライト付き交通保安用コーンの上に重ねられたときに当該他のコーンの前記円形状段部の上面に当接することにより、コーン相互間のベース部間に前記スイッチの操作が可能な隙間を形成しうる複数の隙間形成片が、前記円形状段部の内周面に沿って所定間隔を隔てて配置されていてもよい。
【考案の効果】
【００１１】
本考案によれば、夜間および日中の視認性を向上させるとともに、発光ライトの点灯操作と設置作業の安全性を高めることができる。
【図面の簡単な説明】
【００１２】
【図１】本考案に係るライト付き交通保安用コーンの一実施形態を示す正面図である。
【図２】本実施形態のライト付き交通保安用コーンを示す右側面図である。
【図３】本実施形態のライト付き交通保安用コーンを示す縦断面図である。
【図４】本実施形態のライト付き交通保安用コーンを示す底面図である。
【図５】本実施形態のライト付き交通保安用コーンを示す平面図である。
【図６】本実施形態のライト付き交通保安用コーンを他のライト付き交通保安用コーンに積み重ねた状態の段部周辺を示す一部拡大断面図である。
【図７】本実施形態のライト付き交通保安用コーンを示す背面図である。
【図８】本実施形態における発光ライトの設置状態を示す一部拡大断面図である。
【考案を実施するための形態】
【００１３】
以下、本考案に係るライト付き交通保安用コーンの一実施形態について図面を用いて説明する。
【００１４】
本実施形態のライト付き交通保安用コーン１は、図１ないし図３に示すように、主に、交通保安用コーン２と、光を反射する複数の帯状反射体３と、複数の発光ライト４と、これらの発光ライト４を点灯操作するスイッチ５とを有する。以下、各構成について説明する。
【００１５】
交通保安用コーン２は、交通規制などに用いられる持ち運び可能な標識である。ロードコーンや三角コーン、セイフティコーンなどとも呼ばれる。
【００１６】
本実施形態における交通保安用コーン２は、一般的な交通保安用コーンと同様、主に、中空円錐形のコーン部２１と、前記コーン部２１の底辺周囲に形成された円形状の段部２２と、前記段部２２の底辺周辺に形成された矩形状のベース部２３とが一体的に形成されている。この交通保安用コーン２は、ポリエチレン、軟質ポリエチレン、エチレン酢酸ビニルコポリマー、軟質塩化ビニールなどの化学合成樹脂などによって形成されており、用途に応じて種々の色の樹脂を用いたり、塗料による着色が施されている。
【００１７】
コーン部２１は、規制を示す標識となる部分であり、中空円錐形に形成されている。また、図３および図４に示すように、コーン部２１の底面２１１は開口しており、他のライト付き交通保安用コーン１と積み重ねられるようになっている。
【００１８】
また、本実施形態におけるコーン部２１の外周面２１２の天頂近傍には、摩擦抵抗の高いシート帯状の滑止め２１３が設けられており、設置および撤収の際に把持しやすくなっている。
【００１９】
段部２２は、路面上に安定設置するための台座の一部として、また積み重ねられる他のライト付き交通保安用コーン１を支持するための構造である。また、環状に形成されたゴム製錘をベース部２３の上に設置する際に嵌め入れられる凸部としても使用される。本実施形態における段部２２は、図１、図２および図５に示すように、コーン部２１の底辺周囲に円形状に形成されている。
【００２０】
また、本実施形態における段部２２の内周面２２１には、図３、図４および図６に示すように、複数の隙間形成片２４が形成されている。各隙間形成片２４は、前記内周面２２１において略矩形板状に突出形成されている。そして、複数の隙間形成片２４が円形状段部２２の内周面２２１に沿って所定間隔を隔てて配置されている。
【００２１】
この構成により、隙間形成片２４は、図６に示すように、他のライト付き交通保安用コーン１の上に重ねられたときに当該他のライト付き交通保安用コーン１の円形状段部２２の上面２２２に当接し、重ねられたコーン相互間のベース部２３，２３の間に、スイッチ５の操作が可能な隙間を形成することができる。
【００２２】
また、本実施形態では、隣設された隙間形成片２４の間に発光ライト４に給電する電池ボックス４２等が配置されており、前記電池ボックス４２等が他のライト付き交通保安用コーン１との重ね合わせに邪魔にならないようになっている。
【００２３】
ベース部２３は、ライト付き交通保安用コーン１を道路上などに安定的に設置するための部分であり、段部２２の底辺周辺において当該段部２２より大きい矩形状に形成されている。本実施形態におけるベース部２３は、図４および図５に示すように、略正方形状に形成されており、その上面中央位置に段部２２やコーン部２１が配置されている。これにより、前後左右どちらの方向にも安定してコーン部２１を立たせておくことができる。また、転倒してもベース部２３が回転を妨げて、転がらないようになっている。
【００２４】
なお、交通保安用コーン２は、用途等に応じて、コーン部２１、段部２２およびベース部２３の各構成の寸法比や各構成の形状等は適宜選択することができる。
【００２５】
次に、帯状反射体３について説明する。帯状反射体３は、車のライトなどの光に反射することで夜間の視認性を高めるためのものであり、コーン部２１の外周面２１２に設けられている。本実施形態における帯状反射体３は、細長シート状の反射体により構成されており、図１および図７に示すように、コーン部２１を周回するように貼付されている。また、複数の周回状の帯状反射体３が、上下に所定の間隔を隔てて配置されており、横縞模様を形成している。本実施形態では、上下３本の横縞模様が形成されている。このとき、帯状反射体３の色とコーン部２１の色のコントラストを大きくすることで、日中などの明るい状況における視認性を高めることができる。
【００２６】
なお、帯状反射体３は、１本当たりの上下幅や縞同士の間隔、横縞模様の本数などは適宜変更、選択することができる。
【００２７】
発光ライト４は、通電させて発光させることで夜間の視認性を広く、遠くまで高めるためのものであり、コーン部２１の外周面２１２に設けられている。発光ライト４は、円形状または円環状のＬＥＤライト４１により構成されており、帯状反射体３と交差するようにして複数の発光ライト４が上下に並設されている。本実施形態では、円環状に形成された３つのＬＥＤライト４１が、上下方向に所定間隔を隔てて設けられており、ＬＥＤライト４１が帯状反射体３の間に配置され、あるいは重なるように配置されている。
【００２８】
また、本実施形態におけるＬＥＤライト４１は、コーン部２１の肉厚よりも薄く形成されており、コーン部２１に開口された設置孔２１４内に設置されている。具体的には、図８に示すように、薄いＬＥＤライト４１を設置孔２１４内に設置し、その外側を透明な素材で形成された透光カバー４３で覆われているとともに、内側も保護カバー４４によって覆われている。このとき、前記透明カバー４３および前記保護カバー４４と、コーン部２１との水密性を確保することで、ＬＥＤライト４１を雨水の浸入等による故障から保護することができる。また、保護カバー４４に肉厚の薄い材料を用いることで、他のライト付き交通保安用コーン１と積み重ねる際の邪魔にならず、多数を積み重ねることができる。
【００２９】
なお、発光ライト４は、肉厚の薄いＬＥＤライト４１に限定されるものではなく、通電により発光する各種ライトから適宜選択してもよい。
【００３０】
スイッチ５は、発光ライト４の点灯操作および消灯操作を行うための切り替えスイッチである。本実施形態におけるスイッチ５は、上から押し込むことでオンオフ切り換え操作がができる構造であり、足踏み操作が可能である。また、スイッチ５は、図５に示すように、ベース部２３の上面２３１のうち発光ライト４が設けられている面とは反対側の後方１／３の範囲内に設けられている。本実施形態では、足踏み操作を容易にするために、ベース部２３の左右いずれかの角部近傍に設けられている。
【００３１】
このように、足踏み操作可能なスイッチ５が、発光ライト４が設けられている面とは反対側に設けられているため、例えば、高速道路における交通事故現場の交通規制を行う際に、道路上に設置後であっても後続車の方向に身体を向けて注意を払いながら、足踏み操作によって発光ライト４を点灯させることができ、点灯操作および設置作業の安全性を飛躍的に高めることができる。
【００３２】
また、本実施形態では、他のライト付き交通保安用コーン１が上に重ねられたときに段部２２によってベース部２３間に隙間が形成されるため、重ねられた状態のままでスイッチ操作を行うことができる。よって、道路に設置する前の重ねられた状態においても手で点灯させて速やかに道路上に運搬設置することが可能であるし、交通規制が終わればその都度消灯操作をしなくても回収後に重ねた状態で消灯操作を行えるため速やかに回収作業を完了できる。また、消し忘れの発光ライト４も積み重ねたまま消灯することができる。
【００３３】
以上のような本実施形態によれば、以下のような作用効果を奏することができる。
１．コーン部２１の外周面２１２に発光ライト４とともに帯状反射体３を設けているため、発光ライト４を発光させなくても自動車の光を反射させ、夜間の視認性を確保することができる。
２．コーン部２１の外周面２１２と帯状反射体３との色のコントラストを高めることで、日中の視認性を高めることができる。
３．所定高さ内に多くのライト付き交通保安用コーン１を積み重ねることができるため、自動車のトランクなど限られたスペースに、多くのライト付き交通保安用コーン１を搭載することができる。
４．高速道路における交通事故現場の交通規制など、後続車に身体を向けて注意を払いながら足踏み操作によって発光ライト４を点灯させることができ、設置作業の安全性を飛躍的に高めることができる。
５．積み重ねた状態で点灯作業および消灯作業をすることができるため、設置作業および撤収作業が速やかに完了することができるし、消し忘れの発光ライト４も積み重ねた状態のまま消灯できる。
【００３４】
なお、本考案に係るライト付き交通保安用コーンは、前述した実施形態に限定されるものではなく、適宜変更することができる。例えば、帯状反射体３は、シート状の反射体によるものに限定されるものではなく、反射材料を含有した塗料をコーン部２１の外周面２１２に塗布して設けてもよい。
【符号の説明】
【００３５】
１  ライト付き交通保安用コーン
２  交通保安用コーン
３  帯状反射体
４  発光ライト
５  スイッチ
２１  コーン部
２２  段部
２３  ベース部
２４  隙間形成片
４１  ＬＥＤライト
４２  電池ボックス
４３  透明カバー
４４  保護カバー
２１１  底面
２１２  外周面
２１３  滑止め
２１４  設置孔
２２１  内周面
２２２  段部の上面
２３１  ベース部の上面
【図１】
0003227369.tif 000003
【図２】
0003227369.tif 000004
【図３】
0003227369.tif 000005
【図４】
0003227369.tif 000006
【図５】
0003227369.tif 000007
【図６】
0003227369.tif 000008
【図７】
0003227369.tif 000009
【図８】
0003227369.tif 000010